(57)【要約】  【課題】処理ガスがフィルタエレメントに均一に誘導されるようにするとともに、構造が簡単で、かつ目詰まりなどが生じない誘導手段を備えたバグフィルタ装置。    【解決手段】  ケーシング２０外から供給される処理ガスａを、フィルタエレメント２１に対して側方から導入するバグフィルタ装置２であって、入口２３から送給される処理ガスａをフィルタエレメント２１に誘導する孔明き整流板２２ａ、２２ｂ、２２ｃが、フィルタエレメント２１の側方に上下にわたって分割されて配設されており、それぞれの整流板２２ａ、２２ｂ、２２ｃには、ケーシング２０外面に配設された打撃装置３ａ、３ｂ、３ｃから延びる打撃伝達ロッド３１ａ、３１ｂ、３１ｃの先端部が固定されている点にある。  【選択図】  図１
2006231239.tif 000002
【特許請求の範囲】
【請求項１】
側方から処理ガスを導入するバグフィルタ装置において、処理ガスをフィルタエレメントに誘導する孔明き整流板をそのフィルタエレメントの側方に上下にわたって配設するとともに、当該整流板に衝撃手段を付加したことを特徴とするバグフィルタ整流板の目詰まり防止装置を備えたバグフィルタ装置。
【請求項２】
前記衝撃手段が加圧空気で操作されるハンマを有する打撃装置である請求項１に記載のバグフィルタ装置。
【請求項３】
前記打撃装置をフィルタエレメントと整流板を収容するケーシングの外面に配設し、打撃装置と整流板のを衝撃伝達用ロッドで接続した請求項２に記載のバグフィルタ装置。
【請求項４】
前記打撃装置が継続的に、または間欠的に駆動されるものである請求項２または３に記載のバグフィルタ装置。
【発明の詳細な説明】
【技術分野】
【０００１】
本発明は、処理ガスをフィルタエレメントに誘導する孔明き整流板を配設したバグフィルタ装置に関する。
【背景技術】
【０００２】
従来、ごみ焼却炉の燃焼排ガス中のダストを除去するためにバグフィルタ装置が用いられている。（非特許文献１を参照のこと）
これらを例示する図３によれば、バグフィルタ装置１は、多数のろ布からなる有底筒状のフィルタエレメント１１がケーシング１２内に配置され、側壁から導入された排ガスなど処理ガスａは前記フィルタエレメント１１を通過する際にダストが除去され、ろ過排ガスｂとしてケーシング１２外に排出される。
【０００３】
このフィルタエレメント１１は、運転が進むに従い、表面にダストが堆積して目詰まりを生じるので、適宜な時期にパルスエアｃをフィルタエレメント１１の内部に送給して、堆積ダストを吹き落として目詰まりを解消する逆洗を行なうのが通例である。吹き落とされたダストは下部排出口１３から排出ダストｄとして取り出される。
また、このバグフィルタ装置１に導入される排ガスａは、前段の排ガスダクト１４において消石灰ｅと接触してＨＣｌ、ＳＯｘ、などがバグフィルタ装置１で除去されやすいよう処理される。
【０００４】
このようなバグフィルタ装置では、フィルタエレメントに対して排ガスが均一な流で導入されないため、フィルタエレメントによって目詰まりの程度がばらついてろ過効率が低下したり、フィルタエレメントの劣化が不均一になるなどの不具合があった。
それらを解消するために、例えば特許文献１に開示されたバグフィルタ装置がある（特許文献１を参照のこと）。ところが、このようなバグフィルタ装置は、排ガス導入部分の構造が複雑なうえ規模が大きくなり、排ガス供給ダクトも大幅に変更しなければならないので設備費が莫大になるという別な不具合が生じた。
【非特許文献１】著者「石川禎昭」、書名「流動床式ごみ焼却炉設計の実務」、工業出版社発行：平成６年８月２０日：第２０６頁、図３．１１−６を参照のこと。
【特許文献１】特開２０００−３２５７１８号公報の〔課題を解決するための手段〕、図１、図３、図７などを参照のこと。
【発明の開示】
【発明が解決しようとする課題】
【０００５】
本発明は、上記の問題点を解決するためになされたものであり、処理ガスがフィルタエレメントに均一に誘導されるようにするとともに、構造が簡単で、かつ目詰まりなどが生じない誘導手段を備えたバグフィルタ装置を提供する。
【課題を解決するための手段】
【０００６】
上記の問題は、側方から処理ガスを導入するバグフィルタ装置において、処理ガスをフィルタエレメントに誘導する孔明き整流板をそのフィルタエレメントの側方に上下にわたって配設するとともに、当該整流板に衝撃手段を付加したことを特徴とするバグフィルタ整流板の目詰まり防止装置を備えた本発明のバグフィルタ装置によって、解決することができる。
【０００７】
また、本発明は、次の形態に好ましく具体化される。
１）前記衝撃手段が加圧空気で操作されるハンマを有する打撃装置である形態。
２）前記打撃装置をフィルタエレメントと整流板を収容するケーシングの外面に配設し、打撃装置と整流板のを衝撃伝達用ロッドで接続した形態。
３）前記打撃装置が継続的に、または間欠的に駆動されるものである形態。
【発明の効果】
【０００８】
本発明のバグフィルタ装置は、このように、導入される排ガスなど処理ガスを孔明き整流板を通じてフィルタエレメントに誘導するので、そのガス流は不均一が均されるから、フィルタエレメントの劣化なども均されることになる。また、この孔明き整流板には衝撃手段を付加したので、目詰まりの原因となる堆積ダストを適宜に衝撃によって脱落させることができ目詰まりを解消できる、フィルタエレメントの耐久性も向上する利点が得られる。また、孔明き整流板をフィルタエレメントの側方に上下にわたって配設する構造自体が簡単であるから設備費が安価になるという優れた効果もある。よって本発明は、従来の問題点を解消したバグフィルタ装置として、実用的価値はきわめて大なるものがある。
【発明を実施するための最良の形態】
【０００９】
次に、本発明のバグフィルタ装置に係る実施形態について、図１〜５を参照しながら説明する。
本発明のバグフィルタ装置は、図２に示すように、ケーシング２０外から供給される処理ガスａを、フィルタエレメント２１に対して側方から導入するバグフィルタ装置２であって、処理ガスａをフィルタエレメント２１に誘導する孔明き整流板２２をそのフィルタエレメント２１の側方に上下にわたって配設している。その他の構造は、図３に示したものと略同様である。この孔明き整流板２２には、厚さ４．５ｍｍ程度の鋼板に、口径１０〜５０ｍｍ程度の孔を多数個、透設したものが好ましく用いられる。
【００１０】
そして、その特徴とするところは、当該整流板２２に衝撃手段を付加した点にあり、その１形態を図１に示す。ここで、入口２３から送給される処理ガスａをフィルタエレメント２１に誘導する孔明き整流板２２ａ、２２ｂ、２２ｃが、フィルタエレメント２１の側方に上下にわたって分割されて配設されており、それぞれの整流板２２ａ、２２ｂ、２２ｃには、ケーシング２０外面に配設された打撃装置３ａ、３ｂ、３ｃから延びる打撃伝達ロッド３１ａ、３１ｂ、３１ｃの先端部が固定されている点にある。
【００１１】
この打撃装置を設ける理由は、次の通りである。
除塵運転が進行するに従い、孔明き整流板の透設孔にダストがブリッジ状に堆積するに従い、目詰まりが発生する。このような状態では、整流板本来の機能が失われ、除塵効率自体が低下するうえ、送給された処理ガスａが、ケーシング２０内の下部を迂回して流れるようになり、下部の集められる除塵ダストを巻き上げるなどの不具合が発生するようになる。かくして、このような問題を解消するために、孔明き整流板の堆積ダストを打撃振動で剥離、脱落させる打撃装置を設けることが重要なのである。
【００１２】
この形態では、打撃装置３ａ、３ｂ、３ｃは、孔明き整流板２２ａ、２２ｂ、２２ｃに直接に取り付けるのではなく、ケーシング２０外面に配設される。そして、打撃装置３ａ、３ｂ、３ｃと孔明き整流板２２ａ、２２ｂ、２２ｃとは、金属製の打撃伝達ロッド３１ａ、３１ｂ、３１ｃで連結され、打撃装置の発生する打撃振動は、この打撃伝達ロッドを通じて孔明き整流板に伝達される。かくして、この打撃装置３ａ、３ｂ、３ｃは、過酷な環境下のケーシング２０内に設けるものではないので、その構造、仕様が簡易化できるうえ、同様にケーシング２０内に動力源の配線、配管が省略できる利点が得られる。
【００１３】
本発明の打撃装置としては、加圧空気で操作されるハンマを有するエアノッカが好適である。このエアノッカを図４によって説明すると、シリンダ３２内に下部をハンマ３３ａとしたマグネチックピストン３３が配置され、最上部に密着した状態から圧縮空気３３ｂを供給してマグネチックピストン３３を高速で離脱させ、ハンマ３３ａをベースプレート３４に衝突させる。このときの打撃振動をベースプレート３４を通じて外部に伝達するものである。このように、エアノッカは、圧縮空気だけで操作されるので、電気装置や油圧装置では耐久性に問題が生じやすい高温環境下のバグフィルタ装置付属機器として好ましいものである。
【００１４】
この本発明のエアノッカの打撃駆動は、継続的に行なってもよいが、３０分に１回程度、間欠的に駆動されるもので十分である。このエアノッカの使用効果を図５に例示すると、ろ布差圧変化を縦軸に、時間経過を横軸に示しているが、エアノッカが不使用の場合のろ布差圧（Ａ）は、孔明き整流板の透設孔にダストがブリッジ状に堆積するに従い目詰まりが発生し、排ガスが、均一な流で導入されにくくなり、フィルタエレメントに付着したダストの払落性が不良になるという理由で、平均値が高く、かつ大きく上下に波打つ経過を示す。これに対して、エアノッカを３０分に１回、使用する場合のろ布差圧（Ｂ）は、不使用の場合のように対して２／３〜１／２以下の低い値で、かつほぼ平坦な経過が得られるという格別の効果があることが判明した。
【図面の簡単な説明】
【００１５】
【図１】本発明の実施形態を説明するための要部断面図。
【図２】本発明の要部を示す模式的断面図。
【図３】通常のバグフィルタを示す模式的断面図。
【図４】本発明のエアノッカを説明するための要部断面図。
【図５】本発明のろ布差圧時間経過を示すグラフ。
【符号の説明】
【００１６】
２：バグフィルタ装置、２０：ケーシング、２１：フィルタエレメント、２２、２２ａ、２２ｂ、２２ｃ：孔明き整流板、２３：入口
３ａ、３ｂ、３ｃ：打撃装置、３１ａ、３１ｂ、３１ｃ：打撃伝達ロッド
ａ：処理ガス
【図１】
2006231239.tif 000003
【図２】
2006231239.tif 000004
【図３】
2006231239.tif 000005
【図４】
2006231239.tif 000006
【図５】
2006231239.tif 000007